(57)【要約】    【課題】      電気配線の影が照射対象物に投影される不都合を防止する。    【解決手段】  ランプユニット１０は、発光部３０と発光部３０の側方に配置された電気配線４０とを有するランプ１６と、ランプ１６の基端部に取り付けられたプラグ２４と、プラグ２４をリフレクター１４に所定の向きで固定する固定具２０とを備えており、プラグ２４の外面は円柱状に形成されており、固定具２０にはプラグ取付孔が設けられており、プラグ取付孔にプラグ２４が回動自在に嵌合されている。したがって、固定具２０に対してプラグ２４を回動させることによってランプ１６の向きを調整でき、ランプ１６の側方に配置された電気配線４０の影が照射対象物に投影されるのを防止できる。【選択図】                図１
2006244866.tif 000002
【特許請求の範囲】
【請求項１】
発光部と前記発光部の側方に配置された電気配線とを有するランプと、前記ランプの基端部に取り付けられたプラグと、前記プラグをリフレクターに所定の向きで固定する固定具とを備える、ランプユニットにおいて、
前記固定具にはプラグ取付孔が設けられており、前記プラグ取付孔に前記プラグが回動自在に取り付けられていることを特徴とする、ランプユニット。
【請求項２】
前記プラグの外面には全周にわたって周方向溝が形成されており、前記周方向溝の底面には凹部が形成されており、前記プラグ取付孔の内面には前記周方向溝の底面に当接して摺動されるとともに前記凹部に嵌合される凸部が形成されている、請求項１に記載のランプユニット。
【発明の詳細な説明】
【技術分野】
【０００１】
本発明は、発光部と発光部の側方に配置された電気配線とを有するランプを備え、自動車用ヘッドランプ等に適用される、ランプユニットに関する。
【背景技術】
【０００２】
この種の従来のランプユニットは、ランプと、ランプの端部に取り付けられたプラグと、プラグをリフレクターに固定する口金(フランジ)とを備えており、これらの構成部品（ランプ、プラグおよび口金）は、互いの位置関係が変動しないように一体化されていた（特許文献１参照）。そして、口金の形状は規格によって定められており、リフレクターには口金の形状に応じた位置決め手段が設けられていた。
【０００３】
したがって、リフレクターに対して口金を位置決め手段によって位置決めすると、リフレクターに対するランプユニットの向きが一義的に決まることとなり、リフレクターに対するランプの向きを変更することができなかった。
【特許文献１】特開平１０−１４４１０４号公報
【特許文献２】特開２００３−１２３６３１号公報
【発明の開示】
【発明が解決しようとする課題】
【０００４】
従来、ランプユニットを構成する口金の形状は規格（Ｈ１型，Ｈ４型，Ｈ７型等）で定められており、リフレクターに設けられる位置決め手段の形状や位置は設計者によって任意に定められていた。したがって、位置決め手段の形状や位置によってリフレクターに対するランプの向きが一定せず、発光部の側方に電気配線が配置されたランプ（特許文献２）をランプユニット（特許文献１）に適用した場合には、電気配線の影が照射対象物（路面等）に不所望に投影されてしまうおそれがあった。
【０００５】
たとえば、図８に示すように、自動車用ヘッドランプに適用されたランプユニット１において、ランプ２の電気配線３が発光部４の上方に配置されると、電気配線３の影が照射対象物（路面等）に投影され、自動車用ヘッドランプとしての性能を低下させるおそれがあった。
【０００６】
それゆえに、この発明の主たる目的は、リフレクターに対するランプの向きを調整することによって、電気配線の影が照射対象物に投影される不都合を防止できる、ランプユニットを提供することである。
【課題を解決するための手段】
【０００７】
請求項１に記載した発明は、「発光部３０と発光部３０の側方に配置された電気配線４０とを有するランプ１６と、ランプ１６の基端部に取り付けられたプラグ２４と、プラグ２４をリフレクター１４に所定の向きで固定する固定具２０とを備える、ランプユニット１０において、固定具２０にはプラグ取付孔５６が設けられており、プラグ取付孔５６にプラグ２４が回動自在に嵌合されていることを特徴とする、ランプユニット１０」である。
【０００８】
この発明によれば、固定具２０に設けられたプラグ取付孔５６にプラグ２４が回動自在に嵌合されているので、リフレクター１４に対して固定具２０を固定した後であっても、固定具２０に対してプラグ２４を回動させることによってリフレクター１４に対するランプ１６の向きを調整できる。
【０００９】
請求項２に記載した発明は、請求項１に記載した「ランプユニット１０」において、「プラグ２４の外面には全周にわたって周方向溝４４が形成されており、周方向溝４４の底面には凹部４６が形成されており、プラグ取付孔５６の内面には周方向溝４４の底面に当接して摺動されるとともに凹部４６に嵌合される凸部６２が形成されている」ことを特徴とする。
【００１０】
この発明によれば、プラグ２４の周方向溝４４の底面に固定具２０の凸部６２が当接して摺動されるので、固定具２０に対してプラグ２４を軸方向位置の変動を生じることなく回動させることができる。また、周方向溝４４の底面に形成された凹部４６に固定具２０の凸部６２が嵌合されるので、嵌合位置においてランプ１６の向きを固定することができる。
【発明の効果】
【００１１】
請求項１および２に記載した発明によれば、固定具に対してプラグを回動させ、所望の位置で固定することによってリフレクターに対するランプの向きを任意に決定することができるので、ランプの側方に配置された電気配線の影が照射対象物に投影される不都合を防止できる。
【発明を実施するための最良の形態】
【００１２】
本発明が適用されたランプユニット１０は、図１に示すように、自動車用ヘッドランプやその他の照明用ランプ１２の構成部品として、碗状のリフレクター１４に取り付けて用いられるものである。
【００１３】
リフレクター１４は、図１に示すように、ランプユニット１０のランプ１６から出射された光を前方へ反射させる凹状の反射面１４ａを有しており、リフレクター１４の中央部には、図２に示すように、ランプ取付孔１８が形成されている。また、リフレクター１４の中央部背面におけるランプ取付孔１８の周囲には、図２に示すように、ランプユニット１０の固定具２０を位置決めする「位置決め手段」としての環状の凸部２２が形成されている。なお、「位置決め手段」としては、凸部２２の他、固定具２０の外周に嵌合される凹部であってもよい。また、「凸部」の形状は、図２に示すような凸条であってもよいし、固定具２０の外周縁に当接する複数の突起であってもよい。
【００１４】
ランプユニット１０は、図３〜図５に示すように、ランプ１６と、ランプ１６の基端部に取り付けられたプラグ２４と、プラグ２４をフランジ５４に固定する固定具２０とを備えている。なお、図３は、ランプユニット１０の全体を示す正面図（Ａ）および側面図（Ｂ）であり、図４は、ランプ１６およびプラグ２４を示す正面図であり、図５はフランジ５４が一体形成された固定具２０を示す正面図（Ａ）および側面図（Ｂ）である。
【００１５】
ランプ１６は、図３（Ａ）に示すように、インナーランプ２６とアウターエンベロープ２８とを有しており、全体が石英ガラスによって透明に形成されている。インナーランプ２６は、略球状の発光部３０と、発光部３０の両側に設けられた封止部３２と、一方の封止部３２から長手方向へ延びて設けられた脚部３４とを有しており、封止部３２の内部にはモリブデン箔３６が埋設されている。また、モリブデン箔３６の一端には、発光部３０内に配設された電極３８が溶接されており、モリブデン箔３６の他端には、封止部３２から外部へ延びた電気配線４０が溶接されている。そして、このインナーランプ２６がアウターエンベロープ２８の内側に配置された状態でアウターエンベロープ２８に接合されている。さらに、ランプ１６の先端側の封止部３２から延びた電気配線４０は、後端側へ折り返されて発光部３０の側方に配置されており、この電気配線４０には、絶縁性の保護チューブ４２が被せられている。
【００１６】
プラグ２４は、図４に示すように、ランプ１６の基端部に取り付けられた円柱状の樹脂部材であり、その円柱状の外面には、全周にわたって周方向溝４４が形成されており、周方向溝４４の底面には複数（この実施例では４個）の凹部４６が周方向へ所定の間隔を隔てて形成されている。また、プラグ２４の外面には必要に応じて固定ピン（図示省略）が挿入される少なくとも１つの孔４８が形成されている。そして、ランプ１６の封止部３２から外部へ延びた電気配線４０とリード線５０（図１）とがプラグ２４の内部で接続されている。
【００１７】
固定具２０は、図５に示すように、円筒状の本体５２と、本体５２の一方端部外面に形成された円盤状のフランジ５４とを有している。本体５２は、プラグ２４が回動自在に嵌合されるプラグ取付孔５６を構成するものであり、本体５２には、軸方向へ延びる複数のスリット５８によって複数の板バネ部６０が形成されている。そして、板バネ部６０の内面には、プラグ２４における周方向溝４４の底面に当接されるとともに凹部４６に嵌合される凸部６２が形成されている。さらに、本体５２の所定箇所には、固定ピン（図示省略）が挿入される少なくとも１つの孔６４が必要に応じてプラグ２４に形成された孔４８（図４）と位置的に対応するように形成されている。
【００１８】
フランジ５４は、リフレクター１４のランプ取付孔１８に嵌合される短円柱状の嵌合部６６と、嵌合部６６の後端部外面に形成された鍔状のストッパ部６８と、ストッパ部６８の一部に形成された位置決め用の係止爪７０とによって構成されている。したがって、フランジ５４を有する固定具２０をリフレクター１４に取り付けた状態では、嵌合部６６がランプ取付孔１８に嵌合されるとともに、ストッパ部６８がリフレクター１４の背面に当接され、係止爪７０が「位置決め手段」としての凸部２２の内面に係止される。
【００１９】
なお、固定具２０におけるフランジ５４の形状は、従来の「口金」と同様に規格（Ｈ１型，Ｈ４型，Ｈ７型等）で定められており、本実施例（図５）で示したフランジ５４は「Ｈ７型」である。また、固定具２０の材質としては、金属（ステンレス等）の他にプラスチック等が用いられてもよい。
【００２０】
照明用ランプ１２を組み立てる際には、図１に示すように、リフレクター１４のランプ取付孔１８に固定具２０のフランジ５４（嵌合部６６）を背面側から挿入し、係止爪７０を凸部２２の内面に係止させることによって、リフレクター１４に対して固定具２０を位置決めする。そして、固定具２０をリフレクター１４に対して押圧バネ等の固定手段(図示せず)を用いて固定する。
【００２１】
照明用ランプ１２が自動車用ヘッドランプである場合であって、図１に示すように、発光部３０の下方に電気配線４０が配置されている場合には、電気配線４０の影が照射対象物（路面等）に投影されることはない。しかし、図６に示すように、リフレクター１４における「位置決め手段（凸部２２）」の形状が、図２の形状とは全く逆である場合には、発光部３０の上方に電気配線４０が配置されるため、電気配線４０の影が照射対象物（路面等）に投影されるおそれがある。このような場合には、リフレクター１４への装着前(或いは装着後)にフランジ５４を有する固定具２０に対して照明用ランプ１２が装着されているプラグ２４を回動させて、電気配線４０の位置を発光部３０の下方へ移動させることによって、電気配線４０の影が照射対象物（路面等）に投影される不都合を防止できる。
【００２２】
この場合、固定具２０を回動させると、固定具２０の複数の板バネ部６０の弾力性により、凸部６２がプラグ２４の周方向溝４４の底面に弾接・摺接しつつ回動し、所定の凹部４６に凸部６２が嵌合する。そして、位置決めがなされた後、必要に応じて固定ピン（図示省略）を孔６４に打ち込むことになる。
【００２３】
なお、固定具２０とプラグ２４との固定方法はこれに限られず、固定具２０の本体５２にねじ(図示せず)を螺着し、プラグ２４に対してねじ固定するようにしてもよい。
【産業上の利用可能性】
【００２４】
本発明はプラグ付き照明ランプに対して１種類のフランジを有する固定具を用意するだけで、照明ランプに対する固定具の取付方向を自由に変更することができ、照明ランプの構成部品を大幅に低下させることができる。
【図面の簡単な説明】
【００２５】
【図１】照明用ランプを示す一部断面図
【図２】リフレクターの中央部背面を示す図
【図３】ランプユニットの全体を示す正面図（Ａ）および側面図（Ｂ）
【図４】ランプおよびプラグを示す正面図
【図５】固定具を示す正面図（Ａ）および側面図（Ｂ）
【図６】リフレクターの中央部背面を示す図
【図７】ランプの向きを調整したランプユニットの正面図（Ａ）および側面図（Ｂ）
【図８】従来技術を示す図
【符号の説明】
【００２６】
１０…  ランプユニット
１２…  照明用ランプ
１４…  リフレクター
１６…  ランプ
１８…  ランプ取付孔
２０…  固定具
２２…  凸部
２４…  プラグ
３０…  発光部
４０…  電気配線
４２…  保護チューブ
４４…  周方向溝
４６…  凹部
６０…  板バネ部
６２…  凸部
【図１】
2006244866.tif 000003
【図２】
2006244866.tif 000004
【図３】
2006244866.tif 000005
【図４】
2006244866.tif 000006
【図５】
2006244866.tif 000007
【図６】
2006244866.tif 000008
【図７】
2006244866.tif 000009
【図８】
2006244866.tif 000010